(57)【要約】【課題】  一旦収集した木葉から異物を取り出す手間、又は異物の混在を避けるために掃除機を利用した庭掃除ができないといった従来の問題を解消できる吸引物分別アタッチメントを提供する。【解決手段】  吸引物分別アタッチメント１は、掃除機２の吸引口３にアダプタ管３１を取付けて使用される。掃除機２は、ホース３２の先端に開放された吸引口３に負圧を発生させ、空気を含む吸引物を吸引口３からホース３２を経て、本体２１に内装した集塵カートリッジ等へ導入できる。掃除機２は、家庭向きの仕様に限らず、ビル清掃等に使用される大型の業務用掃除機であっても良い。【選択図】  図１
2006034317.tif 000002
【特許請求の範囲】
【請求項１】
空気と共に吸引物を導入できる吸引口を有し、該吸引口に負圧を発生させる掃除機に取付け可能な吸引物分別アタッチメントであって、
前記吸引口に接続する基端、及び該基端から延出する先端を有し、前記基端から先端に至る部分に、前記吸引物をその大きさに基づき選択的に通過させる目孔を形成したフィルタ材と、
前記フィルタ材を内部に収納し、前記フィルタ材の先端に対応する位置に開口部を形成したチャンバ部材とを備え、
前記チャンバ部材の開口部から負圧により吸引される空気が、前記フィルタ材の基端と先端の間を通過して、前記吸引口まで達することを特徴とする吸引物分別アタッチメント。
【請求項２】
前記フィルタ材の基端を前記吸引口に通じる開放端とし、前記フィルタ材を袋状に成形したことを特徴とする請求項１に記載の吸引物分別アタッチメント。
【請求項３】
前記チャンバ部材が、前記フィルタ材の周囲に空隙を確保し、前記開口部を、前記フィルタ材の先端から離間する位置に形成していることを特徴とする請求項１又は２に記載の吸引物分別アタッチメント。
【請求項４】
前記チャンバ部材の開口部にスロートを形成したことを特徴とする請求項１乃至３に記載の吸引物分別アタッチメント。
【請求項５】
前記フィルタ材が網から成ることを特徴とする請求項１乃至４に記載の吸引物分別アタッチメント。
【請求項６】
前記チャンバ部材が透明材料から成ることを特徴とする請求項１乃至５に記載の吸引物分別アタッチメント。
【請求項７】
空気と共に吸引物を導入できる吸引口を有し、該吸引口に負圧を発生させる掃除機であって、前記請求項１乃至６に記載のフィルタ材、及びチャンバ部材を備えることを特徴とする掃除機。
【請求項８】
空気と共に吸引物を導入できる吸引口を有し、該吸引口に負圧を発生させる掃除機であって、
前記吸引口に通じる開放端、及び該開放端から延出する先端を有し、前記吸引物をその大きさに基づき選択的に通過させる目孔を形成した袋状のフィルタ材を、前記吸引口の奥方に収納し、前記吸引口から負圧により吸引される空気が、前記フィルタ材の開放端と先端の間を通過することを特徴とする掃除機。
【発明の詳細な説明】
【技術分野】
【０００１】
本発明は、掃除機に接続して庭の掃除等が手軽に行える掃除機、及び既成の掃除機等に取付けできる吸引物分別アタッチメントに関する。
【背景技術】
【０００２】
従来、家庭の庭掃除を行うには、箒を用いる等して掃き掃除を行うことが多い。また、掃除機を使用して木葉を収集することもできる。下記の特許文献１には掃除機に係る技術が開示されている。
【特許文献１】特開２００４−６５３７４号公報
【発明の開示】
【発明が解決しようとする課題】
【０００３】
上記のような掃き掃除は煩雑であるので、掃除機を使用することが望まれる。しかしながら、木葉を掃除機で吸引する際に、例えば敷石等の小石が異物として混入することがある。このため、一旦収集した木葉から異物を取り出す手間を要し、或いは、異物の混在を避けるために掃除機を利用した庭掃除ができないといった問題が起こる。
【０００４】
そこで、本発明の目的は、上記のを解消するために、吸引物を分別する手間が省ける吸引物分別アタッチメント、及び掃除機を提供することにある。
【課題を解決するための手段】
【０００５】
本発明は、空気と共に吸引物を導入できる吸引口を有し、該吸引口に負圧を発生させる掃除機に取付け可能な吸引物分別アタッチメントであって、前記吸引口に接続する基端、及び該基端から延出する先端を有し、前記基端から先端に至る部分に、前記吸引物をその大きさに基づき選択的に通過させる目孔を形成したフィルタ材と、前記フィルタ材を内部に収納し、前記フィルタ材の先端に対応する位置に開口部を形成したチャンバ部材とを備え、前記チャンバ部材の開口部から負圧により吸引される空気が、前記フィルタ材の基端と先端の間を通過して、前記吸引口まで達することを特徴とする。
【０００６】
ここで、「吸引物」とは、木葉、紙くず、埃、小石、砂、その他に掃除機を用いて吸引できる総ての物を包括する。
【０００７】
更に、本発明に係る吸引物分別アタッチメントは、前記フィルタ材の基端を前記吸引口に通じる開放端とし、前記フィルタ材を袋状に成形したことを特徴とする。更に、本発明に係る吸引物分別アタッチメントは、前記チャンバ部材が、前記フィルタ材の周囲に空隙を確保し、前記開口部を、前記フィルタ材の先端から離間する位置に形成していることを特徴とする。
【０００８】
更に、本発明に係る吸引物分別アタッチメントは、前記チャンバ部材の開口部にスロートを形成したことを特徴とする。更に、本発明に係る吸引物分別アタッチメントは、前記フィルタ材が網から成ることを特徴とする。更に、本発明に係る吸引物分別アタッチメントは、前記チャンバ部材が透明材料から成ることを特徴とする。
【０００９】
また、本発明は、空気と共に吸引物を導入できる吸引口を有し、該吸引口に負圧を発生させる掃除機であって、以上に述べた（請求項１乃至６に記載の）フィルタ材、及びチャンバ部材を備えることを特徴とする。
【００１０】
また、本発明は、空気と共に吸引物を導入できる吸引口を有し、該吸引口に負圧を発生させる掃除機であって、前記吸引口に通じる開放端、及び該開放端から延出する先端を有し、前記吸引物をその大きさに基づき選択的に通過させる目孔を形成した袋状のフィルタ材を、前記吸引口の奥方に収納し、前記吸引口から負圧により吸引される空気が、前記フィルタ材の開放端と先端の間を通過することを特徴とする。
【発明の効果】
【００１１】
本発明に係る吸引物分別アタッチメント、又は掃除機によれば、空気と共に吸引物を導入できる掃除機の吸引口に、フィルタ材の基端を接続し、同フィルタ材を、その先端に対応する位置に開口部を形成したチャンバ部材の内部に収納しているので、チャンバ部材の開口部から負圧によって吸引される空気は、フィルタ材の基端から先端に至る部分に形成した多数の目孔を通過して、吸引口まで達することになる。
【００１２】
この過程で、フィルタ材の目孔は、吸引物をその大きさに基づき選択的に通過させるので、目孔を通過できない程大きな吸引物は、掃除機による負圧が発生している間、フィルタ材の表面に付着することになる。例えば、吸引物が庭に散乱する木葉である場合、開口部を下向きにしたままチャンバ部材を木葉に接近させると、木葉は空気と共にチャンバ部材の内部へ吸引される。この力は、吸引口に接続したフィルタ材の基端へ向う吸引力であるので、先ずは木葉がフィルタ材の基端寄りの箇所に付着する。
【００１３】
一方、当該アタッチメント又は掃除機を用いて木葉を吸引する過程で、例えば、木葉と一緒に小石がチャンバ部材の内部へ吸引されることがある。この場合、木葉に比べて小石は比重が大きいので、小石はフィルタ材の高さまで至らず、チャンバ部材の開口部の付近で滞留することになる。
【００１４】
続いて、更に多くの木葉が空気と共にチャンバ部材の内部へ吸引されると、フィルタ材の基端寄りの箇所に多くの木葉が付着して溜まる。この箇所の目孔が多くの木葉で塞がれて、フィルタ材の基端付近が木葉を引き付ける力は次第に弱くなるが、その分、フィルタ材の先端寄りの目孔に木葉が引き付けられようとする。このため、チャンバ部材の内部へ吸引される後続の木葉がフィルタ材に付着する位置は、フィルタ材の先端へ向って徐々に移動する。
【００１５】
最終的に、フィルタ材の基端から先端に至る部分の全域に木葉が付着し、チャンバ部材の内部が概ね木葉で満たされたところで、掃除機を停止させる等して、当該アタッチメント又は掃除機から負圧を断ち切る。これにより、小石はチャンバ部材の開口部から直ちに落下するが、チャンバ部材の内部の木葉は僅かに遅れて落下し、或いはチャンバ部材の内部に残留する。
【００１６】
以上のように、当該アタッチメント又は掃除機によれば、比較的に比重の小さい木葉と、小石のような異物とを分別して収集することができる。従って、一旦収集した木葉から異物を取り出す手間、又は異物の混在を避けるために掃除機を利用した庭掃除ができないといった従来の問題を解消することができる。
【００１７】
更に、本発明に係る吸引物分別アタッチメント、又は掃除機は、フィルタ材の基端を吸引口に通じる開放端とし、フィルタ材を袋状に成形しているので、フィルタ材の内部に通気路を確保することができる。これにより、フィルタ材の基端から先端に至る全域で、良好な吸引力を略均一に発生できるという利点がある。
【００１８】
更に、本発明に係る吸引物分別アタッチメント、又は掃除機は、チャンバ部材がフィルタ材の周囲に空隙を確保しているので、フィルタ材の基端から先端に至る全域に生じる吸引力によって、フィルタ材の周囲に吸引物を効率良く収集することができる。しかも、チャンバ部材は、フィルタ材の先端から離間する位置に開口部を形成しているので、上記のようにチャンバ部材の開口部の付近で滞留する小石と、フィルタ材に既に付着した木葉とを離間させられる。これにより、チャンバ部材の開口部の付近で滞留する小石が、フィルタ材に既に付着した木葉に混入するのを予防することができる。
【００１９】
更に、フィルタ材が網から成る場合、当該アタッチメント又は掃除機を構成する材料の調達が極めて容易であり、しかも当該アタッチメント又は掃除機の製造単価を抑えることにもなる。また、チャンバ部材の開口部にスロートを形成すれば、チャンバ部材の開口部を通過する空気の流速を増加させて、小石のような比較的に比重の大きな吸引物を積極的に収集することができる。また、チャンバ部材が透明材料から成る場合、当該アタッチメント又は掃除機を使用する者は、木葉がチャンバ部材の内部にどの程度溜まっているのかを、目視によって簡単に確認することができる。
【発明を実施するための最良の形態】
【００２０】
図１に示すように、本発明の実施形態に係る吸引物分別アタッチメント１は、掃除機２の吸引口３にアダプタ管３１を介して取付けられる。掃除機２は、ホース３２の先端に開放された吸引口３に負圧を発生し、空気と共に吸引物を、吸引口３から本体２１に内装した集塵カートリッジ等へホース３２を経て導入できる。また、掃除機２は、図示のような家庭向きの仕様に限らず、ビル清掃等に使用される大型の業務用掃除機であっても良い。
【００２１】
図２に示すように、吸引物分別アタッチメント１は、長尺な袋状のフィルタ材４と、フィルタ材４の周囲を覆う筒状のチャンバ部材５とを主な構成要素とする。フィルタ材４は、吸引口３に接続する基端４１、及び基端４１から真っ直ぐ延出する先端４２を有する。図中の符号５１は、チャンバ部材５の内外を貫く短管であり、上記のアダプタ管３１に抜き差し自在に接続できる。フィルタ材４の基端４１は、短管５１とアダプタ管３１とを経て吸引口３に通じる開放端である。更に、フィルタ材４は、基端４１から先端４２に至る部分の全域に、吸引物をその大きさに基づき選択的に通過させる多数の目孔４３を形成している。
【００２２】
チャンバ部材５は、フィルタ材４の周囲に空隙を確保できるような内径を有し、フィルタ材４の先端４２に対応する位置、言い換えると、フィルタ材４の基端４１の図中における真下に、開口部６を形成している。更に、開口部６は、フィルタ材４の先端４２からある程度離間する位置にあることが好ましい。この場合、基端４１が開口部６の奥方に位置するため、フィルタ材４は開口部６からチャンバ部材５の内部へ後退する。
【００２３】
更に、チャンバ部材５の開口部６にスロート７を設けても良い。スロート７は、チャンバ部材５の内径よりも開口部６の開口径を狭くすることによって形成できる。また、フィルタ材４の形状は全体として袋状であれば良く、図２に示すような細長い筒状でなくても良い。例えば、図３に示すように、開口部６の方向へ口部４０を向けたすり鉢状又は断面をＵ字状に成形した凹型の金網をフィルタ材４としてチャンバ部材５の内部に挿入し、このような金網の目孔（網目）４３を、空気が口部４０側から図中を上方へ通過できるようにしても良い。
【００２４】
以上に述べた吸引物分別アタッチメント１によれば、チャンバ部材５の開口部６から掃除機２の負圧によって吸引される空気は、フィルタ材４の目孔４３を通過して、図１に示した吸引口３まで達する。この過程で、フィルタ材４の目孔４３は、吸引物をその大きさに基づき選択的に通過させるので、目孔４３を通過できない程大きな吸引物は、掃除機２による負圧が発生している間、フィルタ材４の表面に付着することになる。
【００２５】
例えば、図２に示すように、吸引物が庭に散乱する木葉Ｆである場合、開口部６を下向きにしたままチャンバ部材５を木葉Ｆに接近させると、木葉Ｆは空気と共にチャンバ部材５の内部へ吸引される。この力は、吸引口３に接続したフィルタ材４の基端４１へ向う吸引力であるので、先ずは木葉Ｆがフィルタ材４の基端４１寄りの箇所に付着する。以下、図中のドットにて、一群を成す多数の木葉Ｆを表すものとする。
【００２６】
一方、吸引物分別アタッチメント１を用いて木葉Ｆを吸引しようとする過程で、木葉Ｆと一緒に、例えば敷石、ジャリ石、バラス等の小石Ｐがチャンバ部材５の内部へ吸引されることが多々ある。この場合、木葉Ｆに比べて小石Ｐは比重が大きいので、小石Ｐはチャンバ部材５の内部へ一旦は吸引されるが、チャンバ部材５の開口部６から吸引口３に向って上昇する空気の流れが小石Ｐに作用する揚力は、小石Ｐの重さに抗してフィルタ材４の高さまで小石Ｐを押し上げるに足らない。このため、小石Ｐはチャンバ部材５の開口部６の付近で浮上しつつ滞留することになる。
【００２７】
また、開口部６は上記のようにフィルタ材４の先端４２から離間しているので、開口部６の付近で滞留する小石Ｐと、フィルタ材４に既に付着した木葉Ｆとを離間させられる。これにより、チャンバ部材５の開口部６の付近で滞留する小石Ｐが、フィルタ材４に既に付着した木葉Ｆに混入するのを予防することができる。また、チャンバ部材５の開口部６にスロート７を形成した場合には、チャンバ部材５の開口部６を通過する空気の流速を増加させて、小石Ｐのような比較的に比重の大きな吸引物を積極的に収集することもできる。
【００２８】
続いて、更に多くの木葉Ｆが空気と共にチャンバ部材５の内部へ吸引されると、図４に示すように、フィルタ材４の基端４１寄りの箇所に多くの木葉Ｆが付着して溜まる。この箇所の目孔４３が多くの木葉Ｆで塞がれて、フィルタ材４の基端４１付近が木葉Ｆを引き付ける力は次第に弱くなるが、その分、フィルタ材４の先端４２寄りの目孔４３に木葉Ｆが引き付けられようとする。このため、チャンバ部材５の内部へ吸引される後続の木葉Ｆがフィルタ材４に付着する位置は、フィルタ材４の先端４２へ向って徐々に移動する。
【００２９】
上記のように木葉Ｆがフィルタ材４に付着しても、尚も空気は、チャンバ部材５の開口部６からフィルタ材４の目孔４３を経て吸引口３へ流れ、チャンバ部材５の開口部６と吸引口３の圧力差によって木葉Ｆを押し込もうとする力が生じる。この結果、チャンバ部材５の内部でフィルタ材４に付着した木葉Ｆが圧縮されることになり、一層多くの木葉Ｆをチャンバ部材５の内部に押し込み充填することができる。
【００３０】
最終的に、図５に示すように、基端４１から先端４２に至る部分の全域を覆うように、フィルタ材４に木葉Ｆが付着し、チャンバ部材５の内部のフィルタ材４の周囲の空隙が、概ね木葉Ｆで満たされたところで、掃除機２を停止させる等して、吸引物分別アタッチメント１から負圧を断ち切る。これにより、開口部６から吸引口３へ向って上昇する空気の流れが断たれるので、小石Ｐはチャンバ部材５の開口部６から直ちに落下するが、チャンバ部材５の内部に押し込まれた木葉Ｆは、僅かに遅れて落下する。或いは、吸湿した木葉Ｆがチャンバ部材５の内部で団塊に似た様態となってチャンバ部材５の内部に残留する。チャンバ部材５の内部から木葉Ｆを取り出せば、これを一度に廃棄することができる。
【００３１】
以上のように、吸引物分別アタッチメント１によれば、比較的に比重の小さい木葉Ｆと、小石Ｐのような異物とを、人手を煩わせることなく、分別して収集することができる。従って、一旦収集した木葉Ｆから異物を取り出す手間、又は異物の混在を避けるために掃除機２を利用した庭掃除ができないといった従来の問題を解消することができる。
【実施例１】
【００３２】
図６（ａ）に示した吸引物分別アタッチメント１は、チャンバ部材５として、その底面に開口部６を開放したボトル型の中空材を適用している。チャンバ部材５の断面形状として、図１乃至図５では専ら円形を例示しているが、楕円、三角形、四角形、又は自由曲線にて象られる輪郭を有する任意の形状であっても良い。また、図６（ｂ）に示すように、チャンバ部材５の開口部６を形成する方の端部を、チャンバ部材５の長手方向に対して傾斜面にすれば、吸引物分別アタッチメント１の全体を傾斜させた姿勢のまま、開口部６を庭等の地面に接近させられるので、引物分別アタッチメント１の取扱いが便利である。
【００３３】
また、チャンバ部材５の材料として、上記の掃除機２が発生する負圧に耐え得る剛性を有する金属板を適用しても良いが、負圧によって潰れた場合でも直ちに復元できるような材質を選択することが好ましい。例えば、ポリエチレンテレフタレート製の瓶（通称ＰＥＴボトル）の底面を刳り貫いたものを利用することもできる。この場合、上記瓶のボトルネックにねじ込むキャップに、チャンバ部材５の内外に通じる貫通孔５０を形成すれば、これを上記の短管５１として利用し、この短管５１を介してチャンバ部材５をアダプタ管３１に接続することができる。
【００３４】
また、上記瓶から成るチャンバ部材５の寸法は以下の通りである。即ち、長手方向の全長が約３０５ｍｍ、直径（外径）が約９６ｍｍ、ボトルネックの内径が約２０ｍｍ、容積が約１５００ｍｌである。また、チャンバ部材５の開口部６からフィルタ材４の先端４２までの距離は、１０５ｍｍ（フィルタ材４の全長２００ｍｍ）、１５５ｍｍ（フィルタ材４の全長１５０ｍｍ）、又は２０５ｍｍ（フィルタ材４の全長１００ｍｍ）となるよう３通りの設定を試みた。開口部６の開口径は、５５〜７５ｍｍの範囲にて５ｍｍ刻みで５通りの設定を試みた。
【００３５】
以上に例示した寸法を逐一組み合わせた吸引物分別アタッチメント１を作成して、木葉Ｆ、又は木葉に見たてたクラフト紙片を用いた吸引試験を所定時間行った。その結果、チャンバ部材５の開口部６からフィルタ材４の先端４２までの距離を１０５ｍｍとし、フィルタ材４の全長を２００ｍｍとし、且つ開口部６の開口径を６５ｍｍとしたときに、所定時間当り最も多量の木葉Ｆ又はクラフト紙片を、チャンバ部材５の内部に吸引することができた。
【００３６】
フィルタ材４は、弾力性のある合成樹脂製の網をロール状に巻き、その内部に通気路を確保したものである。例えば、直径約３ｍｍの目孔４３を有するポリエチレン製の網が園芸用として市販されているので、これを直径が約２０ｍｍとなるよう３重巻きにしたものを適用しても良い。
【００３７】
以上のように、フィルタ材４とチャンバ部材５とが日常的に入手可能なものであれば、吸引物分別アタッチメント１を構成する材料の調達が極めて容易であり、しかも吸引物分別アタッチメント１の製造単価を抑えることにもなる。また、チャンバ部材５が、ポリエチレンテレフタレート、アクリル、ポリカボネートのような透明材料から成る場合、吸引物分別アタッチメント１を使用する者は、チャンバ部材５の内部にどの程度の量の木葉Ｆが溜まっているのかを、目視によって簡単に確認することができる。
【００３８】
尚、本発明は、その趣旨を逸脱しない範囲で当業者の知識に基づいて種々なる改良、修正、変形を加えた態様で実施できる。例えば、吸引物分別アタッチメント１を掃除機２の吸引口３に取付ける構成を図１に例示したが、吸引物分別アタッチメント１と掃除機２とを一体化した製品とすることもできる。この場合、チャンバ部材５を省略し、上記袋状のフィルタ材４を、吸引口３の奥方に収納し、吸引口３から負圧により吸引される空気が、フィルタ材４の開放端（基端４１）と先端４２との間を通過するようにしても良い。
【００３９】
また、図７（ａ）に示すように、チャンバ部材５の胴部を蛇腹状に成形し、チャンバ部材５の全長を任意の長さに設定できるようにしても良い。また、同図（ｂ）に示すように、チャンバ部材５の胴部を途中で分断し、その一方の内周面に雌ねじ５２を形成し、他方の外周面５３の外径を絞ると共に、外周面５３に、雌ねじ５２と螺合するねじ山５４を形成しても良い。この場合、チャンバ部材５の内部から木葉Ｆを取り出す際に、チャンバ部材５を分解することができる。
【００４０】
また、図８（ａ）乃至（ｃ）に示すように、アダプタ管３１に第１のリーク孔３３を設けると共に、アダプタ管３１の外周面に沿って回転できるリング型バルブ３４を取付ける。リング型バルブ３４は、第２のリーク孔３５を有する。同図（ａ）に示すように、リング型バルブ３４を手回しする等して、第１のリーク孔３３と第２のリーク孔３５とを合致させると、この箇所からチャンバ部材５の外部の空気がアダプタ管３１の内部に流入するので、吸引物分別アタッチメント１の吸引力を弱められる。
【００４１】
図８（ｂ）に示すように、第１のリーク孔３３と第２のリーク孔３５の位置を僅かに違えれば、空気がアダプタ管３１の内部に流入する流路が狭まるので、吸引物分別アタッチメント１の吸引力は本来の強さに近くなる。或いは、同図（ｃ）に示すように、第１のリーク孔３３と第２のリーク孔３５の位置を完全に違えれば、上記の流路が断たれるので、吸引物分別アタッチメント１の吸引力は本来の強さとなる。
【００４２】
更に、図９（ａ）に示すように、チャンバ部材５の開口部６の付近は先細りであっても良い。また、開口部６が地面等で完全に塞がれると、チャンバ部材５の内部に異常な負圧が発生するので、これを避けるため、開口部６が地面等に接近するのを規制し、且つ通気路を確保できるような格子部材６１を、チャンバ部材５に取付けても良い。
【００４３】
また、図９（ｂ）に示すように、開口部６の付近は先端が広がる形状であっても良い。また、チャンバ部材５からスロート７を省いても良く、或いは図９（ｃ）に示すように、スロート７を開口部６の奥方に形成しても良い。
【産業上の利用可能性】
【００４４】
本発明は、木葉と小石の例に限らず、比重の異なる複数の吸引物を分別するのに有益な技術である。
【図面の簡単な説明】
【００４５】
【図１】本発明の実施形態に係る掃除機の斜視図。
【図２】本発明の実施形態に係る吸引物分別アタッチメントの使用を開始した直後を示す断面図。
【図３】本発明の実施形態に係る吸引物分別アタッチメントの変形例を示す断面図。
【図４】本発明の実施形態に係る吸引物分別アタッチメントを使用している途中を示す断面図。
【図５】本発明の実施形態に係る吸引物分別アタッチメントの使用後の効果を示す断面図。
【図６】（ａ）は本発明の実施例１に係る吸引物分別アタッチメントを破断した斜視図、（ｂ）はその最も好ましい要部の例を示す断面図。
【図７】（ａ）は本発明の実施例１に係る吸引物分別アタッチメントに適用するチャンバ部材の第１の変形例を示す側面図、（ｂ）はその第２の変形例を示す斜視図。
【図８】（ａ）は本発明の実施例１に係る吸引物分別アタッチメントに適用するアダプタ管の変形例の一の使用状態を示す斜視図、（ｂ）はその要部の斜視図、（ｃ）はその他の使用状態を示す斜視図。
【図９】（ａ）は本発明の実施例１に係る吸引物分別アタッチメントに適用するチャンバ部材の第３の変形例を示す斜視図、（ｂ）はその第４の変形例を示す斜視図、（ｃ）はその第５の変形例を示す断面図。
【符号の説明】
【００４６】
１：吸引物分別アタッチメント
２：掃除機
３：吸引口
４：フィルタ材
５：チャンバ部材
６：開口部
７：スロート
４１：基端
４２：先端
４３：目孔
Ｆ：木葉（吸引物）
Ｐ：小石（吸引物）
【図１】
2006034317.tif 000003
【図２】
2006034317.tif 000004
【図３】
2006034317.tif 000005
【図４】
2006034317.tif 000006
【図５】
2006034317.tif 000007
【図６】
2006034317.tif 000008
【図７】
2006034317.tif 000009
【図８】
2006034317.tif 000010
【図９】
2006034317.tif 000011